(57)【特許請求の範囲】
【請求項１】
電磁波の漏洩を抑制するためのガスケットであって、
導電性の薄膜の表裏両面に形成される、独立した頂点を有して高さの異なる凸部間を連続させた凹凸の連続体とし、前記凸部が直接板部材に接触して導電することを特徴とする電磁波シールド用ガスケット。
【請求項２】
前記凸部は、単位面積当たりの個数において、１〜２０個に設定されていることを特徴とする請求項１記載の電磁波シールド用ガスケット。
【請求項３】
前記凸部は、前記薄膜が配置される面からの高さを、０．５ｍｍ以上５ｍｍ以下に設定されていることを特徴とする請求項１または２記載の電磁波シールド用ガスケット。
【請求項４】
凸状の形状とされたロールによって作製されていることを特徴とする請求項１乃至３のいずれかに記載の電磁波シールド用ガスケット。
【請求項５】
請求項１乃至４のいずれかに記載の電磁波シールド用ガスケットを用いることを特徴とする画像形成装置。
【発明の詳細な説明】
【技術分野】
【０００１】
本発明は、電磁波シールド用ガスケットおよび画像形成装置に関し、さらに詳しくは、電子機器の筐体の隙間から漏洩する電磁波を抑制することができる電磁波シールド用ガスケットの構成に関する。
【背景技術】
【０００２】
近年，電磁機器の急速な普及に伴い、画像形成装置などを含むこれらの機器から漏洩する電磁波が，他の機器へ影響を与えてしまう電磁波障害が世界的な問題となっている。  
そこで、画像形成装置などに用いられる筐体とパネルとの間に電磁波シールド用ガスケットを挟み、電磁波の漏洩を抑制することが行われている。
【０００３】
電磁波シールド用ガスケットには、スポンジ状の芯材の周囲にシート状の導電性シートを覆設したもの（例えば、特許文献１）、あるいは、導電性の布で弾性体を被覆したもの（例えば、特許文献２）のように、柔軟な材料の周囲を導電体で被覆するものが主流である。
【０００４】
【特許文献１】特開平１０−９３２８１号公報
【特許文献２】特開平１１０２８４８６９号公報
【発明の開示】
【発明が解決しようとする課題】
【０００５】
通常、筐体やパネルで使用される板表面は、製造時より平坦ではなく、波長が数ｃｍで、振幅が数μｍ〜数百μｍ程度のゆるやかな凹凸（うねり）がある。  
このため，従来の技術では筐体とパネルの間にガスケットを挟んでも、ねじ止め等で加圧しなければならない。つまり、このような処置を採らないと、筐体（パネル）とガスケットの間にすき間が生じてしまい、そこから電磁波が漏洩してしまう虞がある。
【０００６】
また、複数のねじ止めをする場合、加圧が不均一となる場合も多く、これにより、筐体（パネル）とガスケットの間に隙間が発生してその隙間から電磁波が漏洩してしまう虞もある。また従来技術でのガスケットは、隙間分に見合う厚さに成型するなどの特殊な加工技術が必要となることから、製造方法が複雑で価格も高いという問題もあった。
【０００７】
本発明の目的は、上記従来の電磁波シールド用ガスケットおよび電子機器における問題に鑑み、加工コストの上昇を招くことなく小型化、高機能化による電磁波漏洩抑制が可能な構成を備えた電磁波シールド用ガスケットおよび電子機器を提供することにある。
【課題を解決するための手段】
【０００８】
本発明は、以下の構成よりなる。
（１）電磁波の漏洩を抑制するためのガスケットであって、
導電性の薄膜の表裏両面に形成される、独立した頂点を有して高さの異なる凸部間を連続させた凹凸の連続体とし、前記凸部が直接板部材に接触して導電することを特徴とする電磁波シールド用ガスケット。
【０００９】
（２）前記凸部は、単位面積当たりの個数において、１〜２０個に設定されていることを特徴とする（１）記載の電磁波シールド用ガスケット。
【００１２】
（３）前記凸部は、前記薄膜が配置される面からの高さを、０．５ｍｍ以上５ｍｍ以下に設定されていることを特徴とする（１）または（２）記載の電磁波シールド用ガスケット。
【００１３】
（４）凸状の形状とされたロールによって作製されていることを特徴とする（１）乃至（３）のいずれかに記載の電磁波シールド用ガスケット。
【００１４】
（５）(１)乃至(４)のいずれかに記載の電磁波シールド用ガスケットを用いることを特徴とする画像形成装置。
【発明の効果】
【００１５】
請求項１，２記載の発明によれば、導電性の薄膜に凹凸を施すだけの簡単な構成により、厚くすることなどの加工を要することなく隙間や充填表面のうねりに影響されることなく漏洩電磁波のシールが可能となる。特に凹凸部の存在によりガスケットが配置され裏面との間の接触が起こりやすくなることで通電点を多くして電磁波の減衰を大きくすることができる。
【００１９】
請求項３記載の発明によれば、凸部の高さを規定することにより、充填される隙間をほぼ確実に埋め尽くすことができ、これによって漏洩電磁波の減衰率を高めることが可能となる。
【００２０】
請求項４記載の発明によれば、凹凸の形状とされたロールにより作製することにより必要なサイズを確保して漏洩電磁波のシールド箇所への適応性を高めることが可能となる。
【００２１】
請求項５記載の発明によれば、画像形成装置に装備されている電子機器からの漏洩電磁波のシールドを低コスト、高機能化が可能なガスケットを用いることで可能とすることができる。
【発明を実施するための最良の形態】
【００２２】
以下、図に示す実施例により本発明を実施するための最良の形態について説明する。
【実施例】
【００２３】
図１は、本実施例による電磁波シールド用ガスケットの原理を説明するために、平面の一部を示す図であり、同図において電磁波シールド用ガスケット１は、アルミニウムなどの金属箔が用いられる導電性の薄膜を用い、その面内に図中、波線の丸印で示す凸部１Ａと、これに隣接する凹部とが連続して、いわゆる、手で揉むときなどに得られる現象であるくしゃくしゃにしたような状態で凹凸が施されている。
【００２４】
凸部１Ａは、図示しない導電性部に接触した際に通電させることができる通電部として機能する部分であり、この凸部１Ａの間隔は、これが広い場合には通電部間の間隔が広くなることが原因して電磁波の減衰率が小さくなり、これとは逆に凸部１Ａの間隔が狭い場合は通電部が密集した状態となることにより電気的に導通する部分が多くなることが原因して電磁波の減衰率が大きくなる。
【００２５】
本実施例では、凸部１Ａの間隔を凸部１Ａの単位面積あたりの個数で評価し、１０ｃｍ×１０ｃｍの範囲における凸部１Ａの個数を面積（１００ｃｍ２）で割ったもの（凸部数／ｃｍ２）を、便宜上、単位面積当たりの凸部数とした。  
また、凸部１Ａの高さに関しては、図２において、導電性の薄膜により電磁波シールド用ガスケット１を構成し、薄膜を載置した面から凸部１Ａの頂点までの距離を凸部１Ａの高さと定義し、無作為に選んだ１０個の凸部１Ａの高さを平均したものを凸部１Ａの平均高さとした。
【００２６】
本実施例による電磁波シールド用ガスケット１は、図３に示すように、導電板などの単一の平板２に対して載置する場合（図３（Ａ）参照）、あるいは、凸部１Ａの突出方向両側の面を板材３，４によって挟み込む場合（図３（Ｂ）参照）を対象とする使用形態が用いられる。
【００２７】
図３において、電磁波シールド用ガスケット１を、単一の板材２に載置した場合に比べて電磁波シールド用ガスケット１の凸部１Ａが突出する方向の両側に板３，４を接触させ多場合の方が、板同士の間を透過する電磁波の減衰が非常に大きくなるので電磁波の漏洩を小さくすることができる。
【００２８】
薄膜の凹凸は、どのようにして施してもよく、例えば、薄膜を手で丸めて広げたりあるいは手で揉むことによりくしゃくしゃにすることなどの方法が用いられる。
【００２９】
このように、薄膜に凹凸を施すことで凸部１Ａが接触しやすくする構成を前提としてその具体的な構成について説明すると次の通りである。  
まず、薄膜の厚さに関しては、５μｍを下限値とし、上限値が１５０μｍに設定されている。この理由は、薄膜が薄すぎると凹凸を施す際に膜が破れてしまう虞があり、これによって電磁波の透過部分が発生してしまうことを防止するため、および、膜厚が厚くなりすぎた場合に加工が困難となるのを防止するためである。
【００３０】
一方、凸部１Ａの高さに関しては、１ｍｍ以上とされ、その上限値は５ｍｍとされている。従って凸部１Ａの高さは１ｍｍ〜５ｍｍとされている。これは、下限値の設定により電磁波シールド用ガスケットが用いられる位置として、筐体とパネルとの間を選択した場合、それら両部材間の隙間は数μｍ〜数ｍｍ程度となることが多いことに理由がある。  
つまり、互いに接合される筐体とパネルとの各対向表面にはうねりが存在しており、このうねりが上述した隙間寸法となることを考慮したためであり、この隙間を埋めるためには上述した凸部１Ａの高さが必要となる。
【００３１】
また、上限値を設定することにより、薄膜に凹凸を施す際に凸部１Ａの高さが高すぎると凹凸を施す際に薄膜が破れやすくなり、これによって電磁波漏洩作用が小さくなることを防止するためである。
【００３２】
しかも、凸部１Ａの単位面積当たりの個数として２０個以下とされている。これは、凸部１Ａの数を無制限に多くすると薄膜が破れやすくなり、これにより、電磁波の漏洩抑制が小さくなってしまうのを防止するためである。
【００３３】
次にこのような電磁波シールド用ガスケット１を画像形成装置に用いる場合について説明する。
【００３４】
昨今の画像形成装置は、ＦＡＸ、プリンター、スキャナ等、多様の機能を備えるようになってきており、その組み合わせも多彩になってきている。  
それらの機能は電装ボードを増設することで手軽に搭載できるように、スロットイン方式を用いるものが多い。
【００３５】
図５は、スロットイン方式の構成を示しており、同図においてスロットイン方式は、画像形成装置１００の壁部の一部に形成された開口部１００Ａ（図５（Ｂ）参照）がスロット部として構成され、この開口部１００Ａに対して図５（Ａ）に示すように電装ボード１０１を挿脱できるようになっている。開口部１００Ａに挿入された電装ボード１０１は、その前面側に装備されているパネル１０１Ａを開口部１００Ａに設けてある締結部に対して締結されて挿入態位を維持されるようになっている（図５（Ｃ）参照）。
【００３６】
図６は、画像形成装置１００の内部に増設電装基板１０２を搭載するスペースがシールドボックス１００Ｂに囲まれる状態で設けられている。  
シールドボックス１００Ｂの内部にはマザーボード１０３が配置されており、このマザーボード１０３上には電装基板接続用のコネクタ１０４が装備されている。
【００３７】
一方、電装基板１０２側には、パネル状のシールド板１０５が一体化されており、シールド板１０５には、各種インターフェースケーブルを接続するためのコネクタＣ１〜Ｃ３が取り付けられている。  
電装基板１０２には、シールドケース１００Ｂ内のマザーボード１０３に装備されているコネクタ１０４と接続可能なコネクタ１０６が取り付けられており、電装基板１０２がシールドケース１００Ｂ内に挿入された際にマザーボード１０３との間で電気的に接続できるようになっている。シールドボックス１００Ｂとシールド板１０５とは、互いのコネクタ同士が接続されると、シールドボックス１００Ｂ内の電装基板１０２が外部から遮蔽された状態となり、シールドボックス１００Ｂおよびシールド板１０５とが互いに一部を対向当接させて接地される関係とされることで内部空間をシールドする構成とされている。
【００３８】
ところで、シールドボックス１００Ｂとシールド板１０５とは、互いに対向する面同士を当接させて内部空間を遮蔽する構成であることから、互いの対向面が当接する位置、つまり、シールド板１０５の接地位置での対向面間では電磁波が漏れやすい。このため、図６において符号Ｇで示すように、上記対向面が相当する接地面、図６では、シールドボックス１００Ｂ側に形成されてシールド板１０５の裏面が当接する接合片１００Ｂ１の表面にガスケットを配置することが多い。
【００３９】
そこで、このような接地面にガスケットＧを取り付けるには、図７に示すような設置条件が必要となる。  
図７において、従来のガスケットＧは、互いに接合されるシールドボックス１００Ｂ側の接合片１００Ｂ１およびシールド板１０５の表面が正確な平坦とはなっていないことが多く、面全体を密着させることができないことが多い。このため、表面で電磁波が漏洩する隙間や空間を形成しないようにするにはガスケットＧの厚さを厚くし、ガスケットＧの表面に対してシールドボックス１００Ｂ側の接合片１００Ｂ１およびシールド板１０５を押圧接触させることになる。
【００４０】
ガスケットＧの厚さが無視できないほど厚くなると、ガスケットが配置される接合片１００Ｂ１側にはその厚さを見込んで段差（図７中、符号Ｓ１で示す段差）を設けることにより、シールド板１０５の裏面がシールドボックス１００Ｂ側の取り付け片１００Ｃの表面に接触できるようにしている。
【００４１】
つまり、マザーボード１０２に装備されているコネクタ１０４とシールドボックス１００Ｂにおけるシールド板１０５との接触面までの距離をＬ１とし、電装基板１０２側のコネクタ１０６とシールド板１０５におけるシールドボックス１００Ｂとの接触面までの距離をＬ２とし、マザーボード１０３と電装基板１０２とを接続するコネクタの差し込み方向の位置許容寸法をＳ１とすると、Ｌ１−Ｌ２＜Ｓ１の関係となる。  
つまり、マザーボード１０３側のコネクタ１０４に対して電装基板１０２側のコネクタ１０６を完全に挿入し終わった場合の電装基板１０２側の距離Ｌ２がシールドボックス１００Ｂ側の距離Ｌ１に一致する関係である。
【００４２】
しかし、コネクタの差し込みのための位置許容寸法Ｓ１は、ガスケットの厚さＳ２よりも小さい。このため、厚いガスケットＧを設置するとコネクタ同士の完全な接続が行えなくなる。
【００４３】
本実施例では、このような状況に対応できる構成を備えている。つまり、図１乃至３において説明したように、導電性の薄膜に凹凸を施し、その凸部の高さを規定している。これにより、図７において符号Ｓ１で示したコネクタの差し込み位置許容寸法に対して十分対応することができ、さらに、接合面間に挟まれることにより図３（Ｂ）に示した状態となり、通電部がより多くされることによって電磁波の減衰特性を向上させることができる。
【００４４】
特に本実施例による電磁波シールド用ガスケットにおいては、図７において説明したコネクタ差し込み位置許容寸法Ｓ１に対して厚さをきわめて薄くしても必要な電磁波の減衰特性を確保することができるので、ガスケットの厚さに応じた段差を設ける必要がなくなり、加工工数の低減に繋がる。
【００４５】
本実施例による電磁波シールド用ガスケットは、電磁波の漏洩を防止する箇所の形態に応じて変形することができるものである。図８，９は、その例を示す図であり、図８においては、接合面１００Ｂ１（図８（Ｂ）参照）に対応する形状として、矩形形状として角穴を抜いて形成したり、図９に示すように異形な形状に成型することができる。このような形状は、電磁波シールド用ガスケット１の厚さにより可能となり、従来では、矩形や孔を設ける場合さらには異形とするには細かく裁断したものを継ぎ接ぎして形成していた。これは、その厚さが厚いために加工成形性が悪いためであった。本実施例では如何様な形状にも裁断などによって形成することができるので継ぎ接ぎなどによる場合と違ってガスケットが破断したりする虞がなくシールド作用が悪化するのを防止することができる。なお、図示しないが、平面的な形態とするだけでなく重ね合わせるなどして多重層の形態や立体的な形状とすることも可能である。
【００４６】
以上のような実施例を対象として、本発明者は、漏洩電磁波に関する実験を行ったところ、次の結果を得た。  
この実験は、図４に示す構成が用いられる。  
シールドボックス１００Ｂの中に発信器２００を配置し、シールドボックス１００Ｂにおける内部と外部との連通部に相当する縁部１００Ｂ２に電磁波シールド用ガスケット１を配置しない場合（図４（Ａ）参照）と、本実施例による電磁波シールド用ガスケット１を配置した場合（図４（Ｂ）参照）とにおいて電界強度の差を電磁波の減衰量とした。測定は電波暗室で３ｍ法によって受信機３００を用いて測定し、電磁波の周波数が５０，１００，１５０，２００，３００ＭＨｚでの減衰量を測定することで、各周波数で２０ｄＢ以上減衰する場合を効果があるものとした。
【００４７】
（実験１）
（凸部の数の影響）：単位面積当たりの凸部数が０．５個の場合，通電点の間隔が広くなり電磁波減衰の効果がないことが判明した。  
単位面積当たりの凸部数が１〜２０個の場合，通電点の間隔が狭くなり，電磁波減衰の効果が確認された。  
単位面積当たりの凸部数が３０個の場合，薄膜が破れ，電磁波減衰の効果が小さくなることが判明した。
（実験２）
（凹凸の高さの影響）：凸部の平均高さが０．５ｍｍの場合，電磁波減衰の効果がない．凸部の平均高さが１−５ｍｍの場合，電磁波減衰の効果が確認される．凸部の平均高さが７ｍｍの場合，薄膜が破れ電磁波減衰の効果はなくなる。
（実験３）
（薄膜の厚さ）：膜厚が３μｍの場合、薄膜が破れ電磁波減衰の効果がないことが判明した。  
膜厚が５−１５０μｍの場合、電磁波減衰の効果が確認された。  
膜厚が２００μｍ以上の場合、単位面積当たりの凸部数を、１個以上とする加工が困難であったために測定不能であった。
【図面の簡単な説明】
【００４８】
【図１】本発明実施例による電磁波シールド用ガスケットの原理を説明するため耐恥部の平面図である。
【図２】図１に示した電磁波シールド用ガスケットの原理構成を説明するための模式的な側面図である。
【図３】図１に示した電磁波シールド用ガスケットの使用態様を説明するための模式図である。
【図４】本実施例による電磁波シールド用ガスケットを用いた場合と層でない場合とでの電磁波の減衰特性を比較する構成を説明するための模式図である。
【図５】図１に示した電磁波シールド用ガスケットを適用する画像形成装置の一部を示す図である。
【図６】本実施例による電磁波シールドようガスケットの配置構成を説明するための模式的な斜視図である。
【図７】図６に示した配置構成の側面図である。
【図８】本実施例による電磁波シールド用ガスケットの形状の一例を示す正面図である
【図９】本実施例による電磁波シールド用ガスケットの形状に関する変形例を示す正面図である。
【符号の説明】
【００４９】
１  電磁波シールド用ガスケット
１Ａ  凸部
１００  画像形成装置
１００Ｂ  シールドボックス
１００Ａ  開口部
１０２  電装基板
１０３  マザーボード
【図１】
0004751710.tif 000002
【図２】
0004751710.tif 000003
【図３】
0004751710.tif 000004
【図４】
0004751710.tif 000005
【図５】
0004751710.tif 000006
【図６】
0004751710.tif 000007
【図７】
0004751710.tif 000008
【図８】
0004751710.tif 000009
【図９】
0004751710.tif 000010